(57)【特許請求の範囲】
【請求項１】
透明な遊技盤と、
端面から光が進入することで発光する発光板と、
光源が搭載された回路基板と、
前記遊技盤の後方に設けられ、前記発光板および前記回路基板を前記遊技盤に沿う姿勢に支持すると共に前記発光板を遊技者の側から前記遊技盤を通して視認可能にする開口部を有する枠部材と、
前記枠部材に設けられ、前記回路基板に接触するものであって前記光源からの光を前記発光板の端面を通して前記発光板に進入させるための前後方向の目標位置に前記回路基板を静止させるリブを備え、
前記リブには、前記光源からの光を前記発光板の端面に向けて反射する反射部が設けられていることを特徴とするパチンコ遊技機。
【発明の詳細な説明】
【技術分野】
【０００１】
本発明は電飾機能を備えたパチンコ遊技機に関する。
【背景技術】
【０００２】
パチンコ遊技機には発光板を備えたものがある。この発光板は前面および後面を有する透明板からなるものであり、発光板の下端部には凹部が形成されている。この凹部は発光板を前後方向に貫通する切欠状をなすものであり、前面と後面と下面が開口している。この凹部の下面は回路基板で塞がれている。この回路基板は発光板に接合されたものであり、回路基板には凹部内に位置して光源が搭載されている。この光源は下から上に向けて光を投射するものであり、光源が発光した場合には凹部の内面を通って発光板内に光が進入することで発光板が発光する。
【先行技術文献】
【特許文献】
【０００３】
【特許文献１】特開２００６−２５４９５９号公報
【発明の概要】
【発明が解決しようとする課題】
【０００４】
上記パチンコ遊技機の場合には発光板および回路基板相互間の位置関係を一定化することに対して配慮がなされておらず、光源を発光板の前後方向の中心の一定位置に安定的に配置することができない。
【課題を解決するための手段】
【０００５】
本発明のパチンコ遊技機は次の［１］遊技盤〜［５］リブを備えたところに特徴を有する。
［１］遊技盤は透明なものであり、図３の符号１８は遊技盤に相当する。
［２］発光板は端面から光が進入することで発光するものである。図８の後発光板６７は発光板に相当し、後発光板６７の外周面は端面に相当する。
［３］回路基板は光源が搭載されたものである。図８のＬＥＤ基板６９は回路基板に相当し、図１１の後ＬＥＤ７０は光源に相当する。
［４］枠部材は遊技盤の後方に設けられたものであり、発光板および回路基板を遊技盤に沿う姿勢に支持すると共に発光板を遊技者の側から遊技盤を通して視認可能にする開口部を有するものである。図１２の符号９１は枠部材に相当する。
［５］リブは枠部材に設けられたものである。このリブは回路基板に接触するものであり、光源からの光を発光板の端面を通して発光板に進入させるための前後方向の目標位置に回路基板を静止させる。このリブには光源からの光を発光板の端面に向けて反射する反射部が設けられている。図１１の後リブ７１はリブに相当し、一次反射部７５は反射部に相当する。
【発明の効果】
【０００６】
枠部材のリブが回路基板に接触することで光源からの光を発光板の端面を通して発光板に進入させるための前後方向の目標位置に回路基板を静止させる。このリブは反射部を有するものであり、光源の発光状態ではリブの反射部が光源からの光を発光板の端面に向けて反射する。即ち、回路基板を枠部材のリブに接触させることで光源を発光板に対して前後方向の一定位置に安定的に配置できる。
【図面の簡単な説明】
【０００７】
【図１】実施例１を示す図（パチンコ遊技機の外観を前方から示す図）
【図２】内枠の外観を斜め前方から示す図
【図３】パチンコ遊技機の外観を前枠の除去状態で前方から示す図
【図４】図３のＸ４線に沿う断面図
【図５】パチンコ遊技機の電気的な構成を示す図
【図６】遊技盤および電飾ユニットの外観を斜め前方から示す図
【図７】後枠と前発光板と後発光板の外観を斜め前方から示す図
【図８】図７のＸ８線に沿う断面図
【図９】前枠と前発光板と後発光板の外観を斜め後方から示す図
【図１０】電飾ユニットの外観を後方から示す図
【図１１】図１０のＸ１１部を拡大して示す図
【図１２】電飾ユニットの外観を前方から示す図
【図１３】図９のＸ１３線に沿う断面図
【図１４】図１２のＸ１４部を拡大して示す図
【発明を実施するための形態】
【実施例１】
【０００８】
図１の外枠１は複数の木材を前面および後面のそれぞれが開口する四角筒状に接合することから構成されたものであり、外枠１の前方には、図２に示すように、内枠２が上下方向へ指向する軸３を中心に回動可能に装着されている。この内枠２は縦長な四角環状をなすものであり、左板部と右板部と上板部と下板部を有している。この内枠２は外枠１の前端面に前方から接触する閉鎖状態および外枠１の前端面から前方へ離間する開放状態相互間で軸３を中心に回動操作されるものであり、内枠ロック機構を介して閉鎖状態にロックされている。この内枠２の下端部には台板部４が形成されている。この台板部４は垂直な板状をなすものであり、内枠２の下端部を閉鎖している。
【０００９】
内枠２には、図１に示すように、内枠２の前方に位置して前枠５が装着されている。この前枠５は内枠２の前面を閉鎖する閉鎖状態および内枠２の前面を開放する開放状態相互間で内枠２と共通の軸３を中心に回動操作されるものであり、前枠ロック機構を介して閉鎖状態にロックされている。この前枠５には円形状の貫通孔６が形成されており、貫通孔６の内周面には透明な窓７が固定されている。この前枠５には前枠５の前方に位置して上皿８が固定されている。この上皿８は上面が開口する容器状をなすものであり、内枠２の台板部４には、図２に示すように、上皿８の後方に位置して払出口９が形成されている。この払出口９は遊技球を上皿８内に賞品として払出すものであり、払出口９から上皿８内に払出された遊技球は上皿８内に貯留される。
【００１０】
内枠２には、図１に示すように、上皿８の下方に位置して下皿板１０が固定されており、下皿板１０には下皿１１が固定されている。この下皿１１は上皿８内から溢れた遊技球を受けるものであり、上面が開口する容器状をなしている。下皿板１０には下皿１１の右方に位置してハンドル台１２が固定されており、ハンドル台１２にはハンドル１３が装着されている。このハンドル１３は遊技者が右の手指で操作するものであり、停止位置および停止位置に比べて時計回り方向の限度位置相互間で前後方向へ指向する軸１４を中心に回動可能にされている。
【００１１】
内枠２の台板部４には、図３に示すように、発射ソレノイド１５が固定されており、発射ソレノイド１５の出力軸には打球槌が連結されている。この発射ソレノイド１５は電磁ソレノイドおよびリターンスプリングを内蔵するロータリーソレノイドからなるものであり、打球槌は発射ソレノイド１５が電気的なオフ状態からオン状態になることで待機位置から打球位置にリターンスプリングのばね力に抗して電磁力で往動し、発射ソレノイド１５が電気的なオン状態からオフ状態になることで打球位置から待機位置にリターンスプリングのばね力で復動する。この発射ソレノイド１５はハンドル１３が停止位置から時計回り方向に操作されているハンドル１３の操作状態でパルス状の駆動電源が一定周期で与えられるものであり、ハンドル１３の操作状態では発射ソレノイド１５のオンオフが一定周期で繰返されることで打球槌が待機位置および打球位置相互間で往復動を繰返す。
【００１２】
内枠２の台板部４には、図３に示すように、発射レール１６が固定されている。この発射レール１６は右から左に向けて上昇する傾斜状をなすものであり、発射レール１６の右端部には球止め板１７が固定されている。この球止め板１７には遊技球が通過不能な貫通孔が形成されており、打球槌の打球位置では打球槌の一部が球止め板１７の貫通孔を通して発射レール１６上に進入し、打球槌の待機位置では打球槌の一部が発射レール１６上から右方へ退避する。この発射レール１６は打球槌が打球位置から待機位置に向けて移動開始することに連動して上皿８内から１個の遊技球が移送されるものであり、球止め板１７は上皿８内から発射レール１６上に移送された遊技球が発射レール１６の右端部から転落することを防止し、打球槌は待機位置から打球位置に往動することで球止め板１７が転落不能に支える遊技球を球止め板１７の貫通孔を通して右から左に向けて叩くことで同方向へ転動させる。
【００１３】
内枠２には、図３に示すように、台板部４の上方に位置して遊技盤１８が固定されている。この遊技盤１８は透明な合成樹脂を材料に成形されたものであり、垂直な板状をなしている。この遊技盤１８には遊技盤１８の前方に位置して内レール１９と外レール２０と球止めゴム２１が固定されている。内レール１９は上面が開口する円弧状の金属板から構成されたものであり、外レール２０は内レール１９の外周部に配置された円弧状の金属板から構成されたものであり、球止めゴム２１は内レール１９の右端部および外レール２０の右端部相互間の隙間を塞ぐゴムから構成されている。これら内レール１９および外レール２０相互間には発射通路２２が形成されている。この発射通路２２は下端部および上端部のそれぞれが開口する円弧状をなすものであり、打球槌が叩いた遊技球は発射レール１６に沿って転動した後に発射通路２２の下端部を通って発射通路２２内に進入し、発射通路２２に沿って円弧状の軌跡を描きながら上昇する。
【００１４】
遊技盤１８の前面には、図３に示すように、遊技領域２３が形成されている。この遊技領域２３は内レール１９と外レール２０と球止めゴム２１で囲まれた領域のうち発射通路２２を除く残りの円形状の領域を称するものであり、打球槌が叩いた遊技球は発射通路２２の上端部から遊技領域２３内に放出される。この遊技領域２３内には複数の障害釘が固定されており、遊技領域２３内に放出された遊技球は障害釘に当りながら遊技領域２３内を落下する。この遊技領域２３は前枠５の閉鎖状態で前枠５の窓７が前方から対向するものであり、前枠５の閉鎖状態で前方から窓７を通して視覚的に認識可能にされている。
【００１５】
遊技盤１８には、図３に示すように、遊技領域２３内に位置して開口部２４が形成されている。この開口部２４は遊技盤１８を前後方向に貫通するものであり、開口部２４内には前方から装飾枠が嵌め込まれている。この装飾枠は不透明な合成樹脂を材料に成形されたものであり、前面および後面のそれぞれが開口する筒状をなしている。この装飾枠の後端部には液晶表示器からなる図柄表示器２５（図５参照）が固定されている。この図柄表示器２５は遊技盤１８の後面に比べて後方に配置されたものであり、図柄表示器２５の表示内容は前枠５の閉鎖状態で前方から前枠５の窓７および装飾枠の前面のそれぞれを通して視覚的に認識可能にされている。
【００１６】
図柄表示器２５は図柄遊技の映像が表示されるものである。この図柄遊技の映像は左列の図柄要素と中列の図柄要素と右列の図柄要素のそれぞれを可変状態および可変停止状態で順に表示するものであり、左列の図柄要素〜右列の図柄要素のそれぞれの可変表示は８種類の図柄要素（１）〜（８）を予め決められた順序（１）→（２）→（３）→（４）→（５）→（６）→（７）→（８）→（１）・・・で循環的に変化させることで行われ、左列の図柄要素〜右列の図柄要素のそれぞれの停止表示は図柄要素を（１）〜（８）の８種類のいずれか１つで停止させることで行われる。これら左列の図柄要素〜右列の図柄要素は識別図柄を構成するものであり、識別図柄の組合せには左列の図柄要素〜右列の図柄要素のそれぞれが相互に同一な大当りの組合せおよび相互に同一でない外れの組合せの２種類が設定されている。
【００１７】
遊技盤１８には、図４に示すように、開口部２６が形成されている。この開口部２６は装飾枠の右下部に配置されたものであり、遊技盤１８には開口部２６の前方に位置して不透明な合成樹脂製の台板２７が固定されている。この台板２７は遊技盤１８に対して平行な板状をなすものであり、開口部２８を有している。この台板２７は遊技盤１８の開口部２６を前方から閉鎖するものであり、台板２７には遮光筒２９が一体成形されている。この遮光筒２９は前面および後面のそれぞれが開口する筒状をなすものであり、遊技盤１８の開口部２６内に挿入されている。
【００１８】
台板２７には、図４に示すように、開口部２８の内周面に位置して普通始動口３０が固定されている。この普通始動口３０は透明な合成樹脂を材料に成形されたものであり、左右方向へ指向する前板３１と前板３１の左端部から後に向けて突出する左板３２と前板３１の右端部から後に向けて突出する右板３３を有している。この普通始動口３０は上方から見て後面が開口するコ字枠状をなすものであり、普通始動口３０の前板３１と左板３２と右板３３のそれぞれは遊技盤１８の前面に比べて前方に配置されている。この普通始動口３０には前板３１の後面と左板３２の右側面と右板３３の左側面のそれぞれに位置して反射層３４が形成されている。これら反射層３４のそれぞれは光を乱反射させる凹状をなすものであり、普通始動口３０内に光が進入した場合には光が前板３１の反射層３４〜右板３３の反射層３４のそれぞれで乱反射することで普通始動口３０が発光する。
【００１９】
普通始動口３０は、図４に示すように、左導光板３５と右導光板３６と左対向板３７と右対向板３８を有している。これら左導光板３５〜右対向板３８のそれぞれは透明なものであり、普通始動口３０に一体成形されている。左導光板３５は普通始動口３０の左板３２から後方へ突出するものであり、右導光板３６は普通始動口３０の右板３３から後方へ突出するものである。これら左導光板３５および右導光板３６のそれぞれは遮光筒２９内に挿入されており、左導光板３５の後端部および右導光板３６の後端部のそれぞれは遊技盤１８の後面に比べて後方へ突出している。左対向板３７は左導光板３５の後面から後方へ突出するものであり、右対向板３８は右導光板３６の後面から後方へ突出するものであり、左対向板３７および右対向板３８のそれぞれは遊技盤１８の後面に比べて後方に配置されている。
【００２０】
普通始動口３０には、図４に示すように、普通始動口センサ３９が固定されている。この普通始動口センサ３９は近接スイッチからなるものであり、不透明な合成樹脂製のパッケージ内に検出コイルおよび発振回路を封入することから構成されている。検出コイルは内部を遊技球が通過可能な円環状をなすものであり、発振回路は検出コイルを高周波発振させるものである。パッケージは遊技球が検出コイルの内部を通過するように開口部４０が形成されたものであり、検出コイルは遊技球が開口部４０内を通過することで発振状態が変化する。この普通始動口センサ３９は検出コイルの発振状態の変化を普通始動信号として出力するものであり、パッケージを普通始動口３０の前板３１と左板３２と右板３３のそれぞれに接合することで普通始動口３０に固定されている。
【００２１】
遊技盤１８には、図３に示すように、遊技領域２３内に位置して台板４１が固定されている。この台板４１は不透明な合成樹脂を材料に成形されたものであり、遊技盤１８の前面に対して平行な板状をなしている。この台板４１には特別始動口４２が固定されている。この特別始動口４２は不透明な合成樹脂を材料に成形されたものであり、上面が開口するポケット状をなしている。この特別始動口４２内には近接スイッチからなる特別始動口センサ４３（図５参照）が固定されており、遊技球が特別始動口４２内に入賞した場合には特別始動口センサ４３が遊技球を検出することで特別始動信号を出力する。
【００２２】
特別始動口４２には、図３に示すように、不透明な合成樹脂製の２枚の羽根板４４が装着されている。これら両羽根板４４のそれぞれは垂直な閉鎖状態および水平な開放状態相互間で前後方向へ指向する軸４５を中心に回動可能にされたものであり、両羽根板４４のそれぞれの閉鎖状態では遊技球が両羽根板４４相互間の隙間のみを通って特別始動口４２の上面に入賞することが許容され、両羽根板４４のそれぞれの開放状態では遊技球が両羽根板４４のそれぞれに乗って特別始動口４２の上面に入賞することが許容される。
【００２３】
特別始動口４２は両羽根板４４のそれぞれの閉鎖状態で遊技球が入賞可能な外れ状態になるものであり、両羽根板４４のそれぞれの開放状態では遊技球が外れ状態に比べて容易に入賞可能な当り状態になる。この特別始動口４２の両羽根板４４のそれぞれは特別始動口ソレノイド４６（図５参照）の出力軸に連結されている。この特別始動口ソレノイド４６は直動形の電磁ソレノイドからなるものであり、両羽根板４４のそれぞれは特別始動口ソレノイド４６の電気的なオフ状態で閉鎖状態になり、特別始動口ソレノイド４６の電気的なオン状態で開放状態になる。
【００２４】
図５のメイン制御回路４７はマイクロコンピュータを主体に構成されたものであり、ＣＰＵとＲＯＭとＲＡＭを有している。このメイン制御回路４７は普通始動口センサ３９から普通始動信号が出力されているか否かを判断するものであり、普通始動口センサ３９から普通始動信号が出力されていると判断した場合には当りカウンタの値の更新結果を検出する。この当りカウンタの値は一定時間（４ｍｓｅｃ）が経過する毎にメイン制御回路４７が一定値（１）だけ更新するものであり、当りカウンタの値は予め決められた下限値（０）を基準に予め決められた上限値（３２）まで加算された後に下限値に戻して循環的に加算される。
【００２５】
メイン制御回路４７は確率変動モードのオン状態で当りカウンタの値を検出した場合に当りカウンタの値の検出結果を当りカウンタの値の更新範囲内の多数個の当り値（０〜３１）のそれぞれと比較するものであり、当りカウンタの値の検出結果が多数個の当り値のいずれかと同一であると判断した場合には当りであると判定し、当りカウンタの値の検出結果が多数個の当り値のいずれとも相違していると判断した場合には外れであると判定する。このメイン制御回路４７は確率変動モードのオフ状態で当りカウンタの値を検出した場合に当りカウンタの値の検出結果を当りカウンタの値の更新範囲内の少数個の当り値（０〜１）のそれぞれと比較するものであり、当りカウンタの値の検出結果が少数個の当り値のいずれかと同一であると判断した場合には当りであると判定し、当りカウンタの値の検出結果が少数個の当り値のいずれとも相違していると判断した場合には外れであると判定する。このメイン制御回路４７は当りであると判定した場合に当り遊技を行うものである。この当り遊技は特別始動口ソレノイド４６を一定時間だけオン状態にすることで特別始動口４２を当り状態にするものであり、確率変動モードのオン状態ではオフ状態に比べて当りであると高確率で判定されることで多数個の遊技球が特別始動口４２内に入賞することが許容される。
【００２６】
遊技盤１８の台板４１には、図３に示すように、特別入賞口４８が固定されている。この特別入賞口４８は前面が開口する箱状をなすものであり、遊技球は特別入賞口４８内に前面から入賞することが可能にされている。この特別入賞口４８内には近接スイッチからなる特別入賞口センサ４９（図５参照）が固定されており、遊技球が特別入賞口４８内に入賞した場合には特別入賞口センサ４９が遊技球を検出することで特別入賞信号を出力する。
【００２７】
特別入賞口４８には、図３に示すように、不透明な合成樹脂製の扉板５０が装着されている。この扉板５０は垂直な閉鎖状態および水平な開放状態相互間で左右方向へ指向する軸５１を中心に回動可能にされたものであり、扉板５０の閉鎖状態では特別入賞口４９の前面が遊技球が入賞不能に閉鎖され、扉板５０の開放状態では遊技球が扉板５０に乗って特別入賞口４９の前面に入賞することが可能になる。この扉板５０は特別入賞口ソレノイド５２（図５参照）の出力軸に連結されている。この特別入賞口ソレノイド５２は直動形の電磁ソレノイドからなるものであり、扉板５０は特別入賞口ソレノイド５２の電気的なオフ状態で閉鎖状態になり、特別入賞口ソレノイド５２の電気的なオン状態で開放状態になる。図３は扉板５０を開放状態で示すものである。
【００２８】
メイン制御回路４７は特別始動口センサ４３から特別始動信号が出力されているか否かを判断するものであり、特別始動口センサ４３から特別始動信号が出力されていると判断した場合には大当りカウンタの値の更新結果および確変カウンタの値の更新結果のそれぞれを検出する。大当りカウンタの値は一定時間（４ｍｓｅｃ）が経過する毎にメイン制御回路４７が一定値（１）だけ更新するものであり、大当りカウンタの値は予め決められた下限値（０）を基準に予め決められた上限値（１００）まで加算された後に下限値に戻して循環的に加算される。確変カウンタの値は一定時間（４ｍｓｅｃ）が経過する毎にメイン制御回路４７が一定値（１）だけ更新するものであり、確変カウンタの値は予め決められた下限値（０）を基準に予め決められた上限値（２０）まで加算された後に下限値に戻して循環的に加算される。
【００２９】
メイン制御回路４７は確率変動モードのオン状態で大当りカウンタの値を検出した場合に大当りカウンタの値の検出結果を大当りカウンタの値の更新範囲内の多数個の大当り値（０〜５０）のそれぞれと比較するものであり、大当りカウンタの値の検出結果が多数個の大当り値のいずれかと同一であると判断した場合には大当りであると判定し、大当りカウンタの値の検出結果が多数個の大当り値のいずれとも相違していると判断した場合には外れであると判定する。このメイン制御回路４７は確率変動モードのオフ状態で大当りカウンタの値を検出した場合に大当りカウンタの値の検出結果を大当りカウンタの値の更新範囲内の少数個の大当り値（７）と比較するものであり、大当りカウンタの値の検出結果が少数個の大当り値と同一であると判断した場合には大当りであると判定し、大当りカウンタの値の検出結果が少数個の大当り値と相違していると判断した場合には外れであると判定する。このメイン制御回路４７は確率変動モードのオン状態およびオフ状態のそれぞれで大当りであると判定した場合に表示制御回路５３（図５参照）に大当りコマンドを送信するものであり、確率変動モードのオン状態およびオフ状態のそれぞれで外れであると判定した場合には表示制御回路５３に外れコマンドを送信する。
【００３０】
表示制御回路５３はマイクロコンピュータを主体に構成されたものであり、ＣＰＵとＲＯＭとＲＡＭを有している。この表示制御回路５３はメイン制御回路４７から大当りコマンドが送信されたと判断した場合に識別図柄を大当りの組合せに設定するものであり、メイン制御回路４７から外れコマンドが送信されたと判断した場合には識別図柄を外れの組合せに設定する。この表示制御回路５３は識別図柄の組合せを設定した場合に図柄表示器２５に左列の図柄要素〜右列の図柄要素のそれぞれを可変状態で表示開始するものであり、左列の図柄要素〜右列の図柄要素のそれぞれを可変状態で表示開始した場合には１番目に左列の図柄要素の可変表示を停止し、２番目に右列の図柄要素の可変表示を停止し、３番目に中列の図柄要素の可変表示を停止する。これら左列の図柄要素〜右列の図柄要素のそれぞれの停止表示は識別図柄を外れの組合せに設定した場合には識別図柄が外れの組合せとなるように行われるものであり、識別図柄を大当りの組合せに設定した場合には識別図柄が大当りの組合せとなるように行われる。
【００３１】
メイン制御回路４７は大当りであると判定した場合に大当り遊技を行うものである。この大当り遊技は複数回（５回）の大当りラウンドの集合体を称するものであり、メイン制御回路４７は図柄表示器２５に識別図柄が大当りの組合せで停止表示された後に１回目の大当りラウンドを開始する。これら複数回の大当りラウンドのそれぞれは特別入賞口ソレノイド５２を電気的なオフ状態からオン状態に切換えることで扉板５０を閉鎖状態から開放状態に回動操作し、遊技球が特別入賞口４８内に入賞することを許容するものである。これら複数回の大当りラウンドのそれぞれは特別入賞口４８の開放時間が予め決められた限度時間に到達した場合または特別入賞口４８に対する遊技球の入賞個数が予め決められた限度個数に到達した場合に終了するものであり、メイン制御回路４７は特別入賞口センサ４９からの特別入賞信号に基づいて遊技球の特別入賞口４８に対する入賞個数を計測する。
【００３２】
メイン制御回路４７は確率変動モードのオン状態およびオフ状態のそれぞれで大当りであると判定した場合に確変カウンタの値の検出結果を確変カウンタの値の更新範囲内の複数の確変値（０〜１０）のそれぞれと比較するものであり、確変カウンタの値の検出結果が複数の確変値のいずれかと同一であると判断した場合には確率変動モードをオン状態に設定すると判定し、確率変動モードをオン状態に設定すると判定した場合には大当り遊技で最終回の大当りラウンドを終了した後に確率変動モードをオン状態に設定する。このメイン制御回路４７は確変カウンタの値の検出結果が複数の確変値のいずれとも相違していると判断した場合に確率変動モードをオフ状態に設定すると判定するものであり、確率変動モードをオフ状態に設定すると判定した場合には大当り遊技で初回の大当りラウンドを開始する前に確率変動モードをオフ状態に設定する。
【００３３】
内枠２には、図２に示すように、賞球タンク５４および賞球ケース５５が固定されている。賞球タンク５４は遊技球を貯留するものであり、上面が開口する容器状をなしている。賞球ケース５５は上下方向へ指向する通路状をなすものであり、賞球ケース５５の上端部は賞球タンク５４内に接続されている。この賞球ケース５５は賞球タンク５４内から遊技球が上端部を通して供給されるものであり、賞球ケース５５内には賞球払出装置が固定されている。この賞球払出装置は払出モータ５６（図５参照）を駆動源として賞球ケース５５内の遊技球を賞球ケース５５の下端部から落下させるものである。この賞球ケース５５の下端部は内枠２の払出口９に接続されており、賞球ケース５５の下端部から落下した遊技球は払出口９を通して上皿８内に賞品として払出される。
【００３４】
図５の払出制御回路５７はマイクロコンピュータを主体に構成されたものであり、メイン制御回路４７は特別始動口センサ４３からの特別始動信号を検出した場合には払出制御回路５７に賞球コマンド１を送信し、特別入賞口センサ４９からの特別入賞信号を検出した場合には払出制御回路５７に賞球コマンド２を送信する。この払出制御回路５７はＣＰＵとＲＯＭとＲＡＭを有するものであり、メイン制御回路４７から賞球コマンド１が送信されたと判断した場合には払出モータ５６を駆動することで上皿８内に一定個数Ｎ１の遊技球を賞品として払出し、メイン制御回路４７から賞球コマンド２が送信されたと判断した場合には払出モータ５６を駆動することで上皿８内に一定個数Ｎ２（＞Ｎ１）の遊技球を賞品として払出す。
【００３５】
遊技盤１８には、図６に示すように、電飾ユニット６０が固定されている。この電飾ユニット６０は電気的なオン状態になることで発光するものであり、遊技盤１８の後面に後方から対向している。この電飾ユニット６０は発光状態で遊技者が透明な窓７および透明な遊技盤１８のそれぞれを通して視覚的に認識可能なものであり、遊技盤１８は電飾ユニット６０が発光することで後方から電飾される。この電飾ユニット６０の詳細構成は次の通りである。
【００３６】
図７の後枠６１は白色の合成樹脂を材料に成形されたものであり、図８に示すように、白色のベース板６２および白色の外壁板６３を有している。ベース板６２は遊技盤１８に対して平行な板状をなすものであり、ベース板６２には貫通孔状の開口部６４が形成されている。外壁板６３はベース板６２を取囲むものであり、ベース板６２から前に向けて突出している。このベース板６２には、図７に示すように、複数のボス６５が形成されている。これら複数のボス６５のそれぞれは前面および後面の双方が開口する筒状をなすものであり、複数のボス６５内のそれぞれには後方からネジが挿入されている。これら複数のネジのそれぞれは遊技盤１８の後面に後方から螺合されており、図８に示すように、後枠６１は複数のネジのそれぞれの遊技盤１８に対する締結力で遊技盤１８に固定されている。この後枠６１の固定状態では外壁板６３の前端面が遊技盤１８の後面に接触し、開口部６４が遊技盤１８の遊技領域２３の後方に配置される。
【００３７】
後枠６１内には、図７に示すように、前発光板６６および後発光板６７が前後方向に重ねて収納されている。これら前発光板６６および後発光板６７のそれぞれは透明な合成樹脂を材料に成形されたものであり、前発光板６６には前方から複数のネジ６８が挿入されている。これら複数のネジ６８のそれぞれは後発光板６７を通して後枠６１のベース板６２に螺合されており、後発光板６７は後枠６１のベース板６２の前面に接触した状態に複数のネジ６８の締結力で固定され、前発光板６６は後発光板６７の前面に接触した状態に複数のネジ６８の締結力で固定されている。これら前発光板６６および後発光板６７のそれぞれは後枠６１に固定された状態で遊技盤１８に対して平行になるものであり、外周面の輪郭形状および内周面の輪郭形状のそれぞれが相互に同一な円環状をなしている。これら前発光板６６および後発光板６７のそれぞれは後枠６１の開口部６４のうち外周部を前方から覆うものであり、前方から見て遊技盤１８の装飾枠を外周側から取囲み、前方から見て遊技盤１８の発射通路２２および遊技領域２３の双方に重なっている。
【００３８】
前発光板６６は、図７に示すように、前面と後面と外周面と内周面を有するものであり、前発光板６６の前面には１つの全体模様が形成されている。この全体模様は前発光板６６の前面の全体に複数の凹部を形成することで構成されたものであり、前発光板６６の外周面から前発光板６６内に光が進入した場合には光が全体模様で乱反射することで向きを変え、全体模様が発光することで遊技盤１８の発射通路２２および遊技領域２３の双方が電飾される。後発光板６７は前面と後面と外周面と内周面を有するものであり、後発光板６７の後面には前発光板６６の全体模様の後方に位置して複数の部分模様が形成されている。これら複数の部分模様のそれぞれは後発光板６７の後面に複数の凹部を形成することで構成されたものであり、後発光板６７の外周面から後発光板６７内に光が入射した場合には光が複数の部分模様のそれぞれで乱反射することで向きを変え、複数の部分模様のそれぞれが発光することで遊技盤１８の発射通路２２および遊技領域２３の双方が電飾される。
【００３９】
後枠６１内には、図７に示すように、ＬＥＤ基板６９が収納されている。このＬＥＤ基板６９は白色の合成樹脂を材料に成形されたものであり、遊技盤１８に対して平行な板状をなしている。このＬＥＤ基板６９は前発光板６６および後発光板６７の双方を取囲む円環状をなすものであり、前面と後面と外周面と内周面を有している。このＬＥＤ基板６９の後面は電源パターンが形成されたものであり、ＬＥＤ基板６９の後面には、図９に示すように、複数の後ＬＥＤ７０が搭載されている。これら複数の後ＬＥＤ７０のそれぞれはサイドビュータイプのＬＥＤからものであり、ＬＥＤ基板６９の後面に対して平行に青色光を投射する投射部を有している。これら複数の後ＬＥＤ７０のそれぞれは後方から見て後発光板６７を取囲むようにＬＥＤ基板６９の内周部に沿って配列されたものであり、投射部がＬＥＤ基板６９の内周側に向うように配置されている。これら複数の後ＬＥＤ７０のそれぞれはＬＥＤ基板６９の後面の電源パターンに電気的に接続された端子を有するものであり、ＬＥＤ基板６９の後面の電源パターンを通して電源が供給される。
【００４０】
後枠６１のベース板６２には、図１０に示すように、白色の後リブ７１が一体成形されている。この後リブ７１はベース板６２の開口部６４を取囲む環状をなすものであり、図８に示すように、ベース板６２から前に向けて垂直に突出している。この後リブ７１の前端面はＬＥＤ基板６９の後面に接触しており、ＬＥＤ基板６９は後リブ７１に接触することで後枠６１に対して前後方向の目標位置に配置され、複数の後ＬＥＤ７０の投射部のそれぞれはＬＥＤ基板６９が後枠６１に対して前後方向の目標位置に配置されることで後発光板６７の外周面に外側から隙間を介して対向する一定位置に配置されている。このＬＥＤ基板６９の目標位置ではＬＥＤ基板６９の後面およびベース板６２の前面相互間に隙間状の後ＬＥＤ収納室が形成されており、複数の後ＬＥＤ７０のそれぞれは後ＬＥＤ収納室内に収納されている。
【００４１】
ＬＥＤ基板６９の後面には、図９に示すように、後ＬＥＤ回路７２が搭載されている。この後ＬＥＤ回路７２は複数の後ＬＥＤ７０のそれぞれにＬＥＤ基板６９の後面の電源パターンを通して駆動電源を供給するものであり、後ＬＥＤ収納室内に収納されている。この後ＬＥＤ回路７２はメイン制御回路４７から電飾制御回路７３（図５参照）に電飾コマンドが送信された場合に電飾制御回路７３が電飾コマンドの送信結果に応じて電気的に制御するものであり、電飾制御回路７３は後ＬＥＤ回路７２を電飾コマンドの送信結果に応じて制御することで複数の後ＬＥＤ７０のそれぞれをオン状態およびオフ状態相互間で操作する。これら複数の後ＬＥＤ７０のそれぞれの投射部は後ＬＥＤ７０のオン状態で後発光板６７の外周面に青色光を投射するものであり、複数の後ＬＥＤ７０の投射部のそれぞれから後発光板６７の外周面に投射された青色光は後発光板６７内に進入し、後発光板６７内に進入した青色光は後発光板６７の複数の部分模様のそれぞれで乱反射し、複数の部分模様のそれぞれを青色に発光させる。
【００４２】
ＬＥＤ基板６９の後面には、図１１に示すように、複数の後遮光領域７４が形成されている。これら複数の後遮光領域７４のそれぞれは後ＬＥＤ７０をＬＥＤ基板６９の内周面から外周側へ離して配置することで後ＬＥＤ７０の投射部とＬＥＤ基板６９の内周面との間に形成されたものであり、複数の後遮光領域７４のそれぞれには外周側の１つの後ＬＥＤ７０の投射部から投射された光が直接的に照射される。これら複数の後遮光領域７４のそれぞれは外周側の１つの後ＬＥＤ７０の投射部から照射された光を後発光板６７の外周面に向けて反射するものであり、外周側の１つの後ＬＥＤ７０の投射部から照射された光が前発光板６６の外周面に到達することを遮る。
【００４３】
後リブ７１は、図１１に示すように、複数の一次反射部７５を有している。これら複数の一次反射部７５のそれぞれは後リブ７１のうち開口部６４の中心部に向けて延びる部分であり、後ＬＥＤ７０に円周方向から対向している。これら複数の一次反射部７５のそれぞれは円周方向に隣接する後ＬＥＤ７０の投射部に比べて開口部６４の中心側へ突出するものであり、複数の一次反射部７５のそれぞれの反射面には円周方向に隣接する後ＬＥＤ７０の投射部から投射された光が直接的に照射される。これら複数の一次反射部７５のそれぞれの反射面とは円周方向に隣接する後ＬＥＤ７０の側の一面であり、複数の後ＬＥＤ７０のそれぞれの投射部から一次反射部７５の反射面に照射された光は一次反射部７５の反射面で反射されることで後発光板６７の外周面に向う。これら複数の後ＬＥＤ７０および複数の一次反射部７５のそれぞれは後方から見て後発光板６７の部分模様に外周側から対向するように配置されたものであり、後発光板６７の複数の部分模様のそれぞれには光が後ＬＥＤ７０の投射部から後発光板６７の外周面を通過する経路および一次反射部７５から後発光板６７の外周面を通過する経路の双方で集中的に照射される。
【００４４】
後枠６１のベース板６２には二次反射領域が形成され、後枠６１の後リブ７１には二次反射面が形成されている。ベース板６２の二次反射領域はベース板６２の前面のうち後リブ７１に比べて内周側の領域であり、後リブ７１の二次反射面は後リブ７１のうち複数の一次反射部７５を除いた残りの部分の後ＬＥＤ７０側の内面であり、後発光板６７からの出射光および後発光板６７からの反射光のそれぞれはベース板６２の二次反射領域および後リブ７１の二次反射面の双方または一方で後発光板６７の外周面に向けて反射される。この後発光板６７からの出射光とは後発光板６７の外周面に投射された光のうち後発光板６７を通過して後発光板６７の外周面から出射した光であり、後発光板６７からの反射光とは後発光板６７の外周面に投射された光のうち後発光板６７内に進入することなく後発光板６７の外周面で反射された光である。
【００４５】
ＬＥＤ基板６９の前面は電源パターンが形成されたものであり、ＬＥＤ基板６９の前面には、図７に示すように、複数の前ＬＥＤ７６が搭載されている。これら複数の前ＬＥＤ７６のそれぞれはサイドビュータイプのＬＥＤからものであり、ＬＥＤ基板６９の前面に対して平行に後ＬＥＤ７０とは異なる色彩の赤色光を投射する投射部を有している。これら複数の前ＬＥＤ７６のそれぞれは前方から見て前発光板６６を取囲むようにＬＥＤ基板６９の内周部に沿って配列されたものであり、投射部がＬＥＤ基板６９の内周側に向うように配置されている。これら複数の前ＬＥＤ７６のそれぞれはＬＥＤ基板６９の前面の電源パターンに電気的に接続された端子を有するものであり、ＬＥＤ基板６９の前面の電源パターンを通して電源が供給される。
【００４６】
後枠６１内には、図１２に示すように、前枠７７が固定されている。この前枠７７は白色の合成樹脂を材料に成形されたものであり、ベース板７８および外壁板７９を有している。ベース板７８は遊技盤１８に対して平行な板状をなすものであり、前方から見て環状をなしている。このベース板７８は前方から複数のネジが挿入されたものであり、前枠７７は複数のネジのそれぞれをＬＥＤ基板６９を通して後枠６１のベース板６２に螺合することで後枠６１にＬＥＤ基板６９と共に固定されている。このベース板７８は開口部８０を有するものであり、遊技盤１８の装飾枠は前枠７７の開口部８０内と前発光板６６の開口部内と後発光板６７の開口部内と後枠６１の開口部６４内のそれぞれに挿入されている。この前枠７７の外壁板７９はベース板７８を取囲むものであり、図１３に示すように、ベース板７８から後に向けて垂直に突出することでＬＥＤ基板６９の前面に接触している。図１２の符号９１は後枠６１および前枠７７を相互に接合してなる枠部材である。
【００４７】
前枠７７のベース板７８には、図１２に示すように、白色の前リブ８１が一体成形されている。この前リブ８１はベース板７８の開口部８０を取囲む環状をなすものであり、図１３に示すように、ベース板７８から後に向けて垂直に突出している。この前リブ８１の後端面はＬＥＤ基板６９の前面に接触しており、ＬＥＤ基板６９は前枠７７の外壁板７９および前リブ８１のそれぞれに接触することで前枠７７に対して前後方向の目標位置に配置され、複数の前ＬＥＤ７６の投射部のそれぞれはＬＥＤ基板６９が前枠７７に対して前後方向の目標位置に配置されることで前発光板６６の外周面に外側から隙間を介して対向する一定位置に配置されている。このＬＥＤ基板６９の目標位置ではＬＥＤ基板６９の前面およびベース板７８の後面相互間に隙間状の前ＬＥＤ収納室が形成されており、複数の前ＬＥＤ７６のそれぞれは前ＬＥＤ収納室内に収納されている。
【００４８】
ＬＥＤ基板６９の前面には、図７に示すように、前ＬＥＤ回路８２が搭載されている。この前ＬＥＤ回路８２は複数の前ＬＥＤ７６のそれぞれにＬＥＤ基板６９の前面の電源パターンを通して駆動電源を供給するものであり、電飾制御回路７３はメイン制御回路４７から電飾コマンドが送信された場合に前ＬＥＤ回路８２を電飾コマンドの送信結果に応じて制御することで複数の前ＬＥＤ７６のそれぞれをオン状態およびオフ状態相互間で操作する。これら複数の前ＬＥＤ７６のそれぞれの投射部は前ＬＥＤ７６のオン状態で前発光板６６の外周面に赤色光を投射するものであり、複数の前ＬＥＤ７６の投射部のそれぞれから前発光板６６の外周面に投射された赤色光は前発光板６６内に進入し、前発光板６６内に進入した赤色光は前発光板６６の全体模様で乱反射し、全体模様を赤色に発光させる。
【００４９】
ＬＥＤ基板６９の前面には、図１４に示すように、複数の前遮光領域８３が形成されている。これら複数の前遮光領域８３のそれぞれは前ＬＥＤ７６をＬＥＤ基板６９の内周面から外周側へ離して配置することで前ＬＥＤ７６の投射部とＬＥＤ基板６９の内周面との間に形成されたものであり、複数の前遮光領域８３のそれぞれには外周側の１つの前ＬＥＤ７６の投射部から投射された光が直接的に照射される。これら複数の前遮光領域８３のそれぞれは外周側の１つの前ＬＥＤ７６の投射部から照射された光を前発光板６６の外周面に向けて反射するものであり、外周側の１つの前ＬＥＤ７６の投射部から照射された光が後発光板６７の外周面に到達することを遮る。
【００５０】
前枠７７のベース板７８には二次反射領域が形成され、前枠７７の前リブ８１には二次反射面が形成されている。ベース板７８の二次反射領域はベース板７８の後面のうち前リブ８１に比べて内周側の領域であり、前リブ８１の二次反射面は前リブ８１のうち前ＬＥＤ７６側の内面であり、前発光板６６からの出射光および前発光板６６からの反射光のそれぞれはベース板７８の二次反射領域および前リブ８１の二次反射面の双方または一方で前発光板６６の外周面に向けて反射される。この前発光板６６からの出射光とは前発光板６６の外周面に投射された光のうち前発光板６６を通過して前発光板６６の外周面から出射した光であり、前発光板６６からの反射光とは前発光板６６の外周面に投射された光のうち前発光板６６内に進入することなく前発光板６６の外周面で反射された光である。
【００５１】
前枠７７の前リブ８１には、図１４に示すように、複数の二次光拡散部８４が形成されている。これら複数の二次光拡散部８４のそれぞれは前リブ８１のうち複数の二次光拡散部８４を除く残りの部分に対して傾斜するものであり、複数の二次光拡散部８４のそれぞれには前発光板６６からの出射光および前発光板６６からの反射光の双方が照射される。これら複数の二次光拡散部８４のそれぞれは前発光板６６からの出射光および前発光板６６からの反射光の双方を前発光板６６の外周面の円周方向に向けて拡散するものであり、前発光板６６の全体模様は前発光板６６の外周面の円周方向の全体から光が進入することで全体が均一に発光する。
【００５２】
前枠７７のベース板７８には、図４に示すように、開口部８５が形成されており、普通始動口センサ３０の左導光板３５と右導光板３６と左対向板３７と右対向板３８のそれぞれは開口部８５内に挿入されている。ＬＥＤ基板６９には開口部８６が形成され、後枠６１には開口部８７が形成されている。これら開口部８６および開口部８７のそれぞれは前枠７７の開口部８５の後方に配置されたものであり、普通始動口センサ３９の配線はＬＥＤ基板６９の開口部８６内および後枠６１の開口部８７内のそれぞれを通して後枠６１の後方に引出されている。
【００５３】
ＬＥＤ基板６９の前面には、図４に示すように、開口部８６の周縁部に位置して左ＬＥＤ８８および右ＬＥＤ８９が搭載されている。これら左ＬＥＤ８８および右ＬＥＤ８９のそれぞれはトップビュータイプのＬＥＤからなるものであり、後から前に向けて白色の光を投射する投射部を有している。これら左ＬＥＤ８８および右ＬＥＤ８９のそれぞれはＬＥＤ基板６９の前面の電源パターンに電気的に接続された端子を有するものであり、左ＬＥＤ８８および右ＬＥＤ８９のそれぞれにはＬＥＤ基板６９の前面の電源パターンを通して駆動電源が供給される。
【００５４】
左ＬＥＤ８８の投射部は、図４に示すように、普通始動口３０の左導光板３５の後面に後方から隙間を介して対向するものであり、符号ＣＬ１は左ＬＥＤ８８の投射部および左導光板３５の後面相互間の前後方向の隙間寸法である。この左ＬＥＤ８８の投射部から投射された光は左導光板３５の後面から左導光板３５内に進入し、左導光板３５内に進入した光は左板３２内および前板３１内のそれぞれに進入し、左板３２の反射層３４および前板３１の反射層３４のそれぞれで乱反射することで普通始動口３０を発光させる。
【００５５】
右ＬＥＤ８９の投射部は、図４に示すように、普通始動口３０の右導光板３６の後面に後方から隙間を介して対向するものである。符号ＣＲ１は右ＬＥＤ８９の投射部および右導光板３６の後面相互間の前後方向の隙間寸法であり、隙間寸法ＣＲ１は隙間寸法ＣＬ１と同一値に設定されている。この右ＬＥＤ８９の投射部から投射された光は右導光板３６の後面から右導光板３６内に進入し、右導光板３６内に進入した光は右板３３内および前板３１内のそれぞれに進入し、右板３３の反射層３４および前板３１の反射層３４のそれぞれで乱反射することで普通始動口３０を発光させる。
【００５６】
ＬＥＤ基板６９の前面には、図７に示すように、ＬＥＤ回路９０が搭載されている。このＬＥＤ回路９０は左ＬＥＤ８８および右ＬＥＤ８９のそれぞれに駆動電源を供給するものであり、前ＬＥＤ収納室内に収納されている。このＬＥＤ回路９０はメイン制御回路４７から電飾制御回路７３に電飾コマンドが送信された場合に電飾制御回路７３が電飾コマンドの送信結果に応じて電気的に制御するものであり、電飾制御回路７３はＬＥＤ回路９０を電飾コマンドの送信結果に応じて制御することで左ＬＥＤ８８および右ＬＥＤ８９のそれぞれをオン状態およびオフ状態相互間で操作する。左ＬＥＤ８８の投射部は左ＬＥＤ８８のオン状態で普通始動口３０の左導光板３５の後面に白色光を投射するものであり、右ＬＥＤ８９の投射部は右ＬＥＤ８９のオン状態で普通始動口３０の右導光板３６の後面に白色光を投射するものであり、普通始動口３０は左ＬＥＤ８８のオン状態および右ＬＥＤ８９のオン状態のそれぞれで発光する。
【００５７】
普通始動口３０の左対向板３７の後面は、図４に示すように、左ＬＥＤ８８に前方から対向することなくＬＥＤ基板６９の前面に隙間を介して前方から対向するものである。符号ＣＬ２は左対向板３７の後面およびＬＥＤ基板６９の前面相互間の前後方向の隙間寸法であり、隙間寸法ＣＬ２は隙間寸法ＣＬ１および隙間寸法ＣＲ１のそれぞれに比べて小さく設定されている。普通始動口３０の右対向板３８の後面は右ＬＥＤ８９に前方から対向することなくＬＥＤ基板６９の前面に隙間を介して前方から対向するものであり、符号ＣＲ２は右対向板３８の後面およびＬＥＤ基板６９の前面相互間の前後方向の隙間寸法である。この隙間寸法ＣＲ２は隙間寸法ＣＲ１と同一値に設定されたものであり、隙間寸法ＣＬ１および隙間寸法ＣＲ１のそれぞれに比べて小さく設定されている。電飾ユニット６０は以上のように構成されている。
【００５８】
上記実施例１によれば次の効果を奏する。
前ＬＥＤ７６から投射された光が後発光板６７の外周面に進入することをＬＥＤ基板６９の前遮光領域８３で防止し、後ＬＥＤ７０から投射された光が前発光板６７の外周面に進入することをＬＥＤ基板６９の後遮光領域７４で防止した。このため、前発光板６６および後発光板６７のそれぞれに光が誤って進入することを防止する光反射テープが不要になるので、前発光板６６および後発光板６７相互間で光反射テープを挟み込む面倒な作業が不要になる。
【００５９】
次の１）〜３）は電飾ユニット６０を組立てる場合の工程である。この電飾ユニット６０の２）工程でＬＥＤ基板６９の内周面が前発光板６６の外周面または後発光板６７の外周面に接触することで前ＬＥＤ７６および後ＬＥＤ７０のそれぞれが前発光板６６の外周面および後発光板６７の外周面の双方に接触することが防止されるので、前ＬＥＤ７６および後ＬＥＤ７０のそれぞれが前発光板６６または後発光板６７に接触することで破損することが防止される。
１）ＬＥＤ基板６９および前枠７７のそれぞれの未装着状態で後枠６１内に前発光板６６および後発光板６７の双方をネジ６８で固定する。
２）後枠６１内にＬＥＤ基板６９を収納する。
３）後枠６１内に前枠７７を収納し、前枠７７およびＬＥＤ基板６９のそれぞれを後枠６１のベース板６２にネジで固定する。
【００６０】
普通始動口３０の左対向板３７およびＬＥＤ基板６９相互間の間隔寸法ＣＬ２を普通始動口３０の左導光板３５および左ＬＥＤ８８相互間の間隔寸法ＣＬ１に比べて小さく設定し、普通始動口３０の右対向板３８およびＬＥＤ基板６９相互間の間隔寸法ＣＲ２を普通始動口３０の右導光板３６および右ＬＥＤ８９相互間の間隔寸法ＣＲ１に比べて小さく設定した。このため、普通始動口３０に前方から外力が作用することで台板２７が後方へ弾性変形した場合には普通始動口３０の左導光板３５が左ＬＥＤ８８に接近すると共に右導光板３６が右ＬＥＤ８９に接近するものの普通始動口３０の左対向板３７および右対向板３８のそれぞれがＬＥＤ基板６９に接触することで左ＬＥＤ８８が左導光板３５に接触することが防止されると共に右ＬＥＤ８９が普通始動口３０の右導光板３６に接触することが防止されるので、左ＬＥＤ８８が左導光板３５に接触することで破損することが防止されると共に右ＬＥＤ８９が右導光板３６に接触することで破損することが防止される。
【００６１】
後枠６１の後リブ７１をＬＥＤ基板６９の後面に接触させることでＬＥＤ基板６９を後発光板６７に対して前後方向の目標位置に配置し、後ＬＥＤ７０を後ＬＥＤ７０の投射部が後発光板６７の外周面に対向する一定位置に配置したので、３）工程でＬＥＤ基板６９を後枠６１および前枠７７相互間に介在することで後ＬＥＤ７０を後発光板６７に対して前後方向の一定位置に安定的に配置できる。しかも、後ＬＥＤ７０の投射部から投射された光を後発光板６７の外周面に向けて反射する一次反射部７５を後リブ７１に設けたので、光反射テープを接合する製造上の手間を要することなく後ＬＥＤ７０から投射された光の漏れを抑制できる。
【００６２】
上記実施例１においては、前発光板６６の後面および後発光板６７の前面相互間に隙間を形成しても良い。
上記実施例１においては、ＬＥＤ基板６９に換えて不透明な合成樹脂製のフレキシブル基板を用いても良い。
【００６３】
上記実施例１においては、ＬＥＤ基板６９の内周面を前発光板６６の外周面および後発光板６７の外周面の一方に対向配置しても良い。要は前ＬＥＤ７６の投射部を前発光板６６の外周面に対向配置し、後ＬＥＤ７０の投射部を後発光板６７の外周面に対向配置すれば良い。
【００６４】
上記実施例１においては、前発光板６６および後発光板６７のそれぞれの内周部にＬＥＤ基板６９を配置し、ＬＥＤ基板６９の前ＬＥＤ７６の投射部を前発光板６６の内周面に対向配置すると共に後ＬＥＤ７０の投射部を後発光板６７の内周面に対向配置しても良い。この構成の場合には前発光板６６の内周面と後発光板６７の内周面とＬＥＤ基板６９の外周面のそれぞれが端面に相当する。
【００６５】
上記実施例１においては、遊技盤１８に透明な入賞口または透明な飾り部材を設け、透明な入賞口または透明な飾り部材を普通始動口３０と同一の構成で電飾しても良い。
上記実施例１においては、前枠７７の前リブ８１に前ＬＥＤ７６からの投射光が直接的に照射される一次反射部を設け、前リブ８１の一次反射部が前ＬＥＤ７６からの投射光を前発光板６６の外周面に向けて反射する構成としても良い。
【００６６】
上記実施例１においては、ＬＥＤ基板６９の前面および後面のそれぞれに後加工を施すことでＬＥＤ基板６９の前面および後面のそれぞれの反射率を後加工を施さない場合に比べて高める構成としても良い。
【００６７】
上記実施例１においては、前発光板６６の後面に全体模様を設けても良い。
上記実施例１においては、後発光板６７の前面に部分模様を設けても良い。
上記実施例１においては、透明または白色のインキに拡散剤を混入してなる合成インキを用いて前発光板６６の前面または後面にシルク印刷を施すことで模様を形成しても良い。または、透明な合成樹脂製の板体の内部に小径の気泡を封入固定することで模様を構成したものを前発光板６６としても良い。要は前発光板６６として乱反射の作用が付加されたものを用いれば良い。このことは後発光板６７についても同様である。
【００６８】
上記実施例１においては、前発光板６６および後発光板６７を前後方向に隙間を介して対向配置しても良い。この構成の場合にはＬＥＤ基板６９をＬＥＤ基板６９の内周面が前発光板６６の外周面および後発光板６７の外周面のいずれにも対向することなく両者の隙間に対向するように配置しても良く、要は後ＬＥＤ７０の投射部が後発光板６７の外周面に対向すると共に前ＬＥＤ７６の投射部が前発光板６６の外周面に対向するようにＬＥＤ基板６９を前発光板６６および後発光板６７の双方に対して配置すれば良い。
【符号の説明】
【００６９】
１８は遊技盤、２３は遊技領域、３０は普通始動口（電飾部材）、３１は前板（発光部）、３２は左板（発光部）、３３は右板（発光部）、３５は左導光板（導光部）、３６は右導光板（導光部）、３７は左対向板（対向部）、３８は右対向板（対向部）、６１は後枠、６６は前発光板、６７は後発光板（発光板）、６９はＬＥＤ基板（回路基板）、７０は後ＬＥＤ（後光源，光源）、７１は後リブ（リブ）、７４は後遮光領域、７５は一次反射部（反射部）、７６は前ＬＥＤ（前光源）、７７は前枠、８３は前遮光領域、８８は左ＬＥＤ（光源）、８９は右ＬＥＤ（光源）、９１は枠部材である。
【図１】
0005527471.tif 000002
【図２】
0005527471.tif 000003
【図３】
0005527471.tif 000004
【図４】
0005527471.tif 000005
【図５】
0005527471.tif 000006
【図６】
0005527471.tif 000007
【図７】
0005527471.tif 000008
【図８】
0005527471.tif 000009
【図９】
0005527471.tif 000010
【図１０】
0005527471.tif 000011
【図１１】
0005527471.tif 000012
【図１２】
0005527471.tif 000013
【図１３】
0005527471.tif 000014
【図１４】
0005527471.tif 000015